(57)【要約】      （修正有）【課題】容器Ｖの外径が変動した場合や、容器Ｖが円筒形でない場合であっても、熱交換効率が悪化しない温度調整装置、自動販売機並びに商品収納装置を提供する。【解決手段】容器Ｖが載置されて回転する回転テーブル１１と、容器Ｖに向かって進退する進退スタンド６１と、進退スタンド６１に傾動自在に設置された傾動スタンド７１と、これらを進退および傾動する牽引ワイヤ８１とを有し、所定の温度に調整された流体を噴射する進退噴射管９１ｓおよび傾動噴射管９１が、それぞれ進退スタンド６１と傾動スタンド７１に支持されている。牽引ワイヤ８１の牽引によって、進退スタンド６１は前進当接板６２が容器Ｖに当接するまで前進し、傾動スタンド７１は倒伏当接板７２が容器Ｖに当接するまで倒伏するから、流体は容器Ｖから所定の距離で、容器表面の略法線方向に噴射される。【選択図】図７
2006004358.tif 000002
【特許請求の範囲】
【請求項１】
飲料を所望の温度に調整する温度調整装置であって、
該飲料が封入された容器を回転する容器回転手段と、
回転している前記容器に向けて、所定の温度に調整された流体を噴射する流体噴射管を具備する流体噴射手段と、
該流体噴射手段の流体噴射管を前記容器回転手段の回転中心に対して略放射方向に進退する噴射管進退手段とを有することを特徴とする温度調整装置。
【請求項２】
前記噴射管進退手段が、前記略放射方向に進退自在に案内され、前記流体噴射管を保持する進退スタンドと、該進退スタンドを進退させるスタンド進退機構と、前記進退スタンドが前進した際に前記容器に当接する前進当接板とを有し、
前記流体噴射管が流体を噴射する際、前記スタンド進退機構は前記前進当接板が前記容器に当接するまで前記進退スタンドを前進させ、さらに、前記流体噴射管が流体の噴射を停止した際、前記スタンド進退機構は前記前進当接板が前記容器から離隔するまで前記進退スタンドを後退させることを特徴とする温度調整装置。
【請求項３】
前記流体噴射管が屈折自在であって、前記容器回転手段の回転中心に略平行の平行部と、前記容器回転手段の回転中心に対して傾動自在な傾動部とによって形成され、該傾動部が前記容器の外郭形状に対応して傾動することを特徴とする請求項１または２記載の温度調整装置。
【請求項４】
前記噴射管進退手段が、前記略放射方向に進退自在に案内されて前記流体噴射管の平行部を保持する進退スタンドと、該進退スタンドに傾動自在に設置されて前記流体噴射管の傾動部を保持する傾動スタンドと、前記進退スタンドを進退させると共に前記傾動スタンドを傾動させるスタンド駆動機構と、前記進退スタンドが前進した際に前記容器に当接する前進当接板と、前記傾動スタンドが倒伏した際に前記容器に当接する倒伏当接板とを有し、
前記流体噴射管が流体を噴射する際、前記スタンド駆動機構は前記前進当接板が前記容器に当接するまで前記進退スタンドを前進させると共に、前記倒伏当接板が前記容器に当接するまで前記傾動スタンドを倒伏させ、
さらに、前記流体噴射管が流体の噴射を停止した際、前記スタンド進退機構は前記傾動スタンドを起立させると共に前記進退スタンドを後退させることを特徴とする請求項３記載の温度調整装置。
【請求項５】
前記スタンド駆動機構が、前記進退スタンドを前記容器回転手段の回転中心から離れる方向に付勢する後退用バネと、前記傾動スタンドを前記容器回転手段の回転中心に平行になるように付勢する起立用バネと、前記進退スタンドに係止して一端が前記傾動スタンドに設置されると共に他端が後記スタンド牽引手段に設置されたスタンド牽引ワイヤと、該スタンド牽引ワイヤを牽引するワイヤ牽引手段とを有し、
前記ワイヤ牽引手段が前記スタンド牽引ワイヤを牽引した際、まず、前記後退用バネが伸張して前記進退スタンドは前進し、その後、前記起立用バネが伸張して前記傾動スタンドは倒伏し、
さらに、前記ワイヤ牽引手段が前記スタンド牽引ワイヤの牽引を緩めると、まず、前記起立用バネが元に戻って前記傾動スタンドは起立し、その後、前記後退用バネが元に戻って前記進退スタンドは後退することを特徴とする請求項４記載の温度調整装置。
【請求項６】
前記流体噴射管から流体が、前記容器回転手段の回転中心に対して斜め上方向に噴射されることを特徴とする請求項１乃至５の何れかに記載の温度調整装置。
【請求項７】
前記流体噴射手段の流体噴射管および前記容器回転手段の容器載置部が噴射された流体の散逸を防止するための温度調整チャンバ内に配置され、
該温度調整チャンバに前記容器を搬出入するための商品出し入れ口が設けられていることを特徴とする請求項１乃至６の何れかに記載の温度調整装置。
【請求項８】
前記流体噴射手段の流体噴射管が噴射された流体の散逸を防止するための温度調整チャンバ内に配置され、
該温度調整チャンバに前記容器回転手段の容器載置部が通過自在な開口部が設けられ、
前記容器載置部を前記温度調整チャンバ内に侵入させるための移動手段が、前記容器回転手段または前記温度調整チャンバの何れかに設けられていることを特徴とする請求項１乃至６の何れかに記載の温度調整装置。
【請求項９】
商品を搬出するための商品搬出口を具備する開閉扉によって前面が開閉される筐体からなる商品収納庫と、
該商品収納庫内に配置され、商品を収納して順次下方に搬出する機能を有する商品ラックと、
前記商品ラックから落下した商品を前記商品搬出口の方向に搬送する商品搬送手段とを有する自動販売機であって、
前記筐体に請求項１乃至８の何れかに記載の温度調整装置が設置されていることを特徴とする自動販売機。
【請求項１０】
商品を出し入れする開口部および該開口部を開閉する開閉扉を具備する筐体と、
該筐体内に配置されて商品を収納する商品棚とを有する商品収納装置であって、
前記筐体に請求項１乃至８の何れかに記載の温度調整装置が設置されていることを特徴とする商品収納装置。
【発明の詳細な説明】
【技術分野】
【０００１】
本発明は、容器に封入された飲料、たとえば、缶、ボトル缶、瓶、ペットボトル、紙パック等に封入された飲料を所望の温度に調整する温度調整装置、および該温度調整装置を具備する自動販売機並びに商品収納装置に関するものである。
【背景技術】
【０００２】
温度調整装置は、容器に封入された飲料、たとえば、缶、ボトル缶、瓶、ペットボトル、紙パック等に封入された飲料を、所望の温度に調整するものである。すなわち、利用者がホット飲料（たとえば、５５℃程度）を希望する場合、当該利用者は、常温または所望温度まで加熱されていない飲料が封入された容器を温度調整装置に投入して加熱したり、あるいは、利用者がコールド飲料（たとえば、５℃程度）を希望する場合、当該利用者は、常温または所望温度まで冷却されていない飲料が封入された容器を温度調整装置に投入して冷却したりする。
そして、温度調整装置には、商品販売店等の、たとえば、カウンタ脇等に単独で設置されるもの（いわゆる「スタンドアロン型」）、あるいは、飲料の自動販売機や商品収納装置（「ショーケース」に同じ）に装備されるものがある。
【０００３】
また、飲料の自動販売機の内部に設置された温度調整装置では、飲料が封入された容器（以下「商品」と称す場合がある）が払い出される前に略自動的に温度調整装置を通過して温度調整されるものがある。一方、飲料の自動販売機から商品が一旦払い出された後に、利用者が個々に温度調整するために自動販売機に設置された温度調整装置、すなわち、自動販売機の外部から利用する温度調整装置がある。なお、温度調整の要領には、所定の低温もしくは高温に温度調整された熱媒体（液体、蒸気、気体等）中に商品を浸漬したり、該熱媒体を商品に吹き付けたりするものがある。（例えば、特許文献１参照）。
【０００４】
【特許文献１】特開２００１−３０７２１３号公報（第３−４頁、図１）
【発明の開示】
【発明が解決しようとする課題】
【０００５】
ところで、特許文献１に開示された温度調整装置では、常温状態で収納された商品を、払い出される前に温度調整装置に取り込み、加熱（ホット）または冷却（コールド）の選択指令に会わせて加熱または冷却された熱冷媒を商品に吹き付けるものあるから、該選択指令に対する適切な対応や迅速な温度調整が可能になるものである。また、収納された飲料（商品に同じ）を長時間にわたって所望の温度に維持しておく必要がないため、飲料の品質劣化の問題や装置の電力浪費の問題が解決されるものである。
【０００６】
しかしながら、かかる温度調整装置は一対の支持ローラに商品が載置させ、支持ローラの回転によって商品が回転し、該回転中の商品に熱媒体が噴射されるものである。このとき、熱媒体の噴射ノズルが所定の位置に固定されているため、以下の理由により、温度調整が不十分なまま、商品が払い出されるおそれや、利用者の待ち時間が長くなるおそれがあった。
（あ）容器（商品に同じ）の外径の大小によって、容器と噴射ノズルとの距離や、噴射された流体が容器の表面に衝突する角度が動するため、熱交換効率が悪化する場合がある。
（い）さらに、噴射ノズルが直線状に配置されているため、容器が円筒形でない場合、たとえば、口元が絞られた瓶の場合、噴射された流体が絞られた範囲（いわゆる「肩」に相当する範囲）の表面に衝突する角度が大幅に変動するため、熱交換効率が悪化する場合がある。
【０００７】
本発明は上記おそれを解消するためのものであり、容器の外径が変動した場合や、容器が円筒形でない場合であっても、熱交換効率が悪化しない温度調整装置、および該温度調整装置を装備した自動販売機並びに商品収納装置を提供することを目的とする。
【課題を解決するための手段】
【０００８】
本発明に係る温度調整装置（請求項１）は、飲料を所望の温度に調整する温度調整装置であって、
該飲料が封入された容器を回転する容器回転手段と、
回転している前記容器に向けて、所定の温度に調整された流体を噴射する流体噴射管を具備する流体噴射手段と、
該流体噴射手段の流体噴射管を前記容器回転手段の回転中心に対して略放射方向に進退する噴射管進退手段とを有することを特徴とする。
【０００９】
本発明に係る温度調整装置（請求項２）は、前記噴射管進退手段が、前記略放射方向に進退自在に案内され、前記流体噴射管を保持する進退スタンドと、該進退スタンドを進退させるスタンド進退機構と、前記進退スタンドが前進した際に前記容器に当接する前進当接板とを有し、
前記流体噴射管が流体を噴射する際、前記スタンド進退機構は前記前進当接板が前記容器に当接するまで前記進退スタンドを前進させ、さらに、前記流体噴射管が流体の噴射を停止した際、前記スタンド進退機構は前記前進当接板が前記容器から離隔するまで前記進退スタンドを後退させることを特徴とする。
【００１０】
本発明に係る温度調整装置（請求項３）は、前記流体噴射管が屈折自在であって、前記容器回転手段の回転中心に略平行の平行部と、前記容器回転手段の回転中心に対して傾動自在な傾動部とによって形成され、該傾動部が前記容器の外郭形状に対応して傾動することを特徴とする。
【００１１】
本発明に係る温度調整装置（請求項４）は、前記噴射管進退手段が、前記略放射方向に進退自在に案内されて前記流体噴射管の平行部を保持する進退スタンドと、該進退スタンドに傾動自在に設置されて前記流体噴射管の傾動部を保持する傾動スタンドと、前記進退スタンドを進退させると共に前記傾動スタンドを傾動させるスタンド駆動機構と、前記進退スタンドが前進した際に前記容器に当接する前進当接板と、前記傾動スタンドが倒伏した際に前記容器に当接する倒伏当接板とを有し、
前記流体噴射管が流体を噴射する際、前記スタンド駆動機構は前記前進当接板が前記容器に当接するまで前記進退スタンドを前進させると共に、前記倒伏当接板が前記容器に当接するまで前記傾動スタンドを倒伏させ、
さらに、前記流体噴射管が流体の噴射を停止した際、前記スタンド進退機構は前記傾動スタンドを起立させると共に前記進退スタンドを後退させることを特徴とする。
【００１２】
本発明に係る温度調整装置（請求項５）は、前記スタンド駆動機構が、前記進退スタンドを前記容器回転手段の回転中心から離れる方向に付勢する後退用バネと、前記傾動スタンドを前記容器回転手段の回転中心に平行になるように付勢する起立用バネと、前記進退スタンドに係止して一端が前記傾動スタンドに設置されると共に他端が後記スタンド牽引手段に設置されたスタンド牽引ワイヤと、該スタンド牽引ワイヤを牽引するワイヤ牽引手段とを有し、
前記ワイヤ牽引手段が前記スタンド牽引ワイヤを牽引した際、まず、前記後退用バネが伸張して前記進退スタンドは前進し、その後、前記起立用バネが伸張して前記傾動スタンドは倒伏し、
さらに、前記ワイヤ牽引手段が前記スタンド牽引ワイヤの牽引を緩めると、まず、前記起立用バネが元に戻って前記傾動スタンドは起立し、その後、前記後退用バネが元に戻って前記進退スタンドは後退することを特徴とする。
【００１３】
本発明に係る温度調整装置（請求項６）は、前記流体噴射管から流体が、前記容器回転手段の回転中心に対して斜め上方向に噴射されることを特徴とする。
【００１４】
本発明に係る温度調整装置（請求項７）は、前記流体噴射手段の流体噴射管および前記容器回転手段の容器載置部が、噴射された流体の散逸を防止するための温度調整チャンバ内に配置され、
該温度調整チャンバに前記容器を搬出入するための商品出し入れ口が設けられていることを特徴とする。
【００１５】
本発明に係る温度調整装置（請求項８）は、前記流体噴射手段の流体噴射管が噴射された流体の散逸を防止するための温度調整チャンバ内に配置され、
該温度調整チャンバに前記容器回転手段の容器載置部が通過自在な開口部が設けられ、
前記容器載置部を前記温度調整チャンバ内に侵入させるための移動手段が、前記容器回転手段または前記温度調整チャンバの何れかに設けられていることを特徴とする。
【００１６】
また、 本発明に係る自動販売機（請求項９）は、商品を搬出するための商品搬出口を具備する開閉扉によって前面が開閉される筐体からなる商品収納庫と、
該商品収納庫内に配置され、商品を収納して順次下方に搬出する機能を有する商品ラックと、
前記商品ラックから落下した商品を前記商品搬出口の方向に搬送する商品搬送手段とを有するものであって、
前記筐体に前記何れかの温度調整装置が設置されていることを特徴とする。
【００１７】
さらに、 本発明に係る商品収納装置（請求項１０）は、商品を出し入れする開口部および該開口部を開閉する開閉扉を具備する筐体と、該筐体内に配置されて商品を収納する商品棚とを有すものであって、
前記筐体に前記何れかの温度調整装置が設置されていることを特徴とする。
【発明の効果】
【００１８】
本発明に係る温度調整装置（請求項１）は、流体噴射手段の流体噴射管を容器回転手段の回転中心に対して略放射方向に進退する噴射管進退手段とを有すから、容器の外径の大小に係わらず、流体噴射管と容器表面との距離を一定に保つことができる。
【００１９】
本発明に係る温度調整装置（請求項２）は、流体噴射管が流体を噴射する際、スタンド牽引機構が前進当接板が前記容器に当接するまで進退スタンドを前進させるから、簡単な機構によって、流体噴射管と容器表面との距離を正確に保つことができる。
【００２０】
本発明に係る温度調整装置（請求項３）は、前記流体噴射管が屈折自在であって、容器の外郭形状に対応して傾動する傾動部を具備するから、容器が円筒形でない場合、たとえば、口元が絞られた瓶の場合であっても、噴射された流体が容器表面に衝突する角度の変動を抑えることができる。
【００２１】
本発明に係る温度調整装置（請求項４）は、流体噴射管が流体を噴射する際、スタンド駆動機構が前進当接板および倒伏当接板が容器に当接するまで、進退スタンドを前進および傾動スタンドを倒伏させるから、容器が円筒形でない場合、たとえば、口元が絞られた瓶の場合であっても、流体噴射管と容器表面との距離を正確に保持し、また、噴射された流体が容器表面に衝突する角度を比較的正確に保持することができる。
【００２２】
本発明に係る温度調整装置（請求項５）は、ワイヤ牽引手段がスタンド牽引ワイヤを牽引すると、まず、進退スタンドには容器回転手段の回転中心に近づく方向の力が作用して、後退用バネが伸張して進退スタンドが前進し、その後、起立用バネが伸張して傾動スタンドが倒伏するから、簡素な機構でもって、容器が円筒形でない場合、たとえば、口元が絞られた瓶の場合であっても、流体噴射管と容器表面との距離を正確に保持し、また、噴射された流体が容器表面に衝突する角度を比較的正確に保持することができる。
【００２３】
本発明に係る温度調整装置（請求項６）は、流体噴射管から流体が斜め上方向に噴射されるから、噴射された流体が容器の筒状部の表面において略法線方向で衝突するから、良好な熱交換効率が保証される。
【００２４】
本発明に係る温度調整装置（請求項７）は、流体噴射手段の流体噴射管が進退するため、流体噴射管が後退した状態で、容器（商品に同じ）を容器載置部に直接載置することができるから、容器回転手段または温度調整チャンバを相対的に移動させるための移動手段が不要になる。
【００２５】
本発明に係る温度調整装置（請求項８）は、流体噴射管が配置された温度調整チャンバの開口部に容器載置部を侵入させるため、温度調整チャンバと容器回転手段とをそれぞれ別個の構造にすることができ、また、容器を載置する位置または温度調整チャンバを設置する場所の選定の自由度が増す。
【００２６】
また、 本発明に係る自動販売機（請求項９）は、前記何れかの温度調整装置が設置されているため、払い出された後の商品を、利用者の好みに応じて適宜温度調整することが可能になる。このため、商品を常温で収納したり、あるいは、比較的低い温度に加熱（弱加熱）して収納したりまたは比較的高い温度に冷却（弱冷却）して収納したりすることができるから、自動販売機の熱交換の負荷が低減して、熱交換手段の小能力化・小型化や、負省電力が図られる。
【００２７】
さらに、 本発明に係る商品収納装置（請求項１０）は、前記何れかの温度調整装置が設置されているため、払い出された後の商品を、利用者の好みに応じて適宜温度調整することが可能になる。このため、商品を常温で収納したり、あるいは、比較的低い温度に加熱（弱加熱）して収納したりまたは比較的高い温度に冷却（弱冷却）して収納したりすることができるから、ショーケースの熱交換負荷が低減して、熱交換手段の小能力化・小型化や、負省電力が図られる。
【発明を実施するための最良の形態】
【００２８】
以下、図面に基づいて実施形態を説明する、なお、以下の各図において同じ部分または相当する部分にはこれと同じ符号を付し、一部の説明を省略する。
【００２９】
［実施形態１］
（温度調整装置その１）
図１は本発明の温度調整装置に係る実施形態１の構成を模式的に示す側面視の一部断面図である。図１において、温度調整装置１は、容器Ｖに封入された飲料（図示しない）を所望の温度に調整するためのものであって、温度調整装置１のみが独立して設置される場合（いわゆる「スタンドアロン型」に同じ）と、自動販売機等に取り付けられる場合（これについては別途説明する）とがある。
温度調整装置１は、容器Ｖを回転する容器回転手段１０と、回転している容器Ｖに向けて、所定の温度に調整された流体を噴射する流体噴射管２１を具備する流体噴射手段２０と、流体噴射管２１を容器回転手段１０の回転の中心（以下「回転中心Ｃ」と称す）に対して略放射方向に進退する噴射管進退手段３０とを有している。なお、図中、噴射管進退手段３０を１台のみ記載しているが、本発明は、１台に限定するものではなく複数台であってもよい。また、複数台の場合、相互の間隔は不均一であってもよい。
【００３０】
（容器回転手段）
容器回転手段１０は、容器Ｖが載置される回転テーブル１１と、回転テーブル１１を回転駆動する回転モータ１３と、回転テーブル１１と回転モータ１３とを連結する回転軸１２と、載置された容器Ｖを把持する図示しない把持手段とを有している。
なお、回転軸１２は、チャンバ５０の回転軸孔５１にシール手段１４を介して液密的に配置されているから、当該部分から流体が流れ出すことがない。
【００３１】
（噴射管進退手段）
そして、噴射管進退手段３０は、回転中心Ｃに対して略放射方向に設置された進退スタンドガイド３３に進退自在に案内された進退スタンド３１と、進退スタンド３１を進退させるスタンド牽引機構４０と、進退スタンド３１が前進した際に、容器Ｖに当接する前進当接板３２とを有している。なお、進退スタンド３１は流体噴射管２１を保持している。
スタンド牽引機構４０は、進退スタンド３１を回転中心Ｃから遠ざかる方向（以下「後退」または「後退方向」と称す」に付勢する後退用バネ３４と、一端が進退スタンド３１に固定され、進退スタンド３１を回転中心Ｃに近づける方向（以下「前進」または「前進方向」と称す）に牽引するためのスタンド牽引ワイヤ４１（以下「牽引ワイヤ４１」と称す）を有している。
【００３２】
そして、牽引ワイヤ４１（一端が各牽引スタンド３１に固定されている）の他端は、牽引方向を変更する牽引用プーリ３５（進退スタンドガイド３３に設置されている）を介して共通の牽引テーブル４３に固定され、牽引テーブル４３には巻き取りワイヤ４４が固定され、巻き取りワイヤ４４は巻き取りモータ４６に設置された巻き取りドラム４５によって巻き取られる。このとき、牽引ワイヤ４１はシール手段４７によって液密的にチャンバ５０を貫通している。
なお、牽引ワイヤ４１には緩衝用の牽引バネ４２が設置されているが、これを撤去しても、これの代わりに巻き取りワイヤ４４に緩衝用のバネを設置してもよい。また、牽引テーブル４３を撤去して、各牽引ワイヤ４１のそれぞれに巻き取りドラム４５を設けてもよい。
【００３３】
さらに、牽引ワイヤ４１等に代えて、牽引テーブル４３をラック／ピニオン機構あるいはアクチュエータ（エアーシリンダ、ソレノイド／リンク機構等）で直接移動させてもよい。また、後退用バネ３４および牽引ワイヤ４１等に代えて、進退スタンド３１を直接前後進させるアクチュエータ（エアーシリンダ、ソレノイド／リンク機構等）を設置してもよい。また、プーリ３５に代えて略円弧状の案内溝を設けてもよい。
さらに、後退用バネ３４に代えて前進方向に付勢するバネを設置し、牽引ワイヤ４１を後退方向に牽引するようにしてもよい。このとき、巻き取りモータ４６を起動すると、進退スタンド３１は後退することになる。
【００３４】
（流体噴射手段）
流体噴射手段２０は、気体、蒸気、液体またはスラリ等の熱媒体（以下まとめて「流体」と称す）を所定の温度に加熱または冷却（以下まとめて「温度調整」と称す）して貯留する貯留タンク２３と、温度調整済み流体を流体分配部２５に供給するための供給管２４と、供給された流体を各流体噴射管２１に分配するための流体分配部２５と、流体分配部２５と流体噴射管２１とを連結する可撓性を具備する連結管２６と、噴射された流体を貯留タンク２３に戻す戻り管２７とを有している。
また、流体噴射管２１は進退スタンド３１に支持され、回転中心Ｃに向かって少し斜め上方向に流体が噴出するような噴射口２２（ノズル孔または穿孔等）が所定間隔で設けられている。
【００３５】
なお、供給管２４には図示しない開閉手段（ソレノイドバルブ等）および流体輸送手段（圧送ポンプ等）が設置され、温度調整装置１の図示しない制御部からの制御信号に基づいて流体を所定の時間だけ供給している。
さらに、貯留タンク２３は１台に限定されるものではなく、複数台であってもよい。たとえば、加熱された流体を貯留する加熱貯留タンクと冷却された流体を貯留する冷却貯留タンクとを装備し、制御部からの制御信号に基づいて、適宜、加熱または冷却された流体を供給するようにしてもよい。
また、流体分配部２５はチャンバ５０の天井に配置するものに限定するものではなく、チャンバ５０の底面に配置してもよい。このとき、進退スタンドガイド３３に連結管２６が貫通自在な長孔（進退方向に長い）を設け、該長孔を貫通して連結管２６を進退スタンド３１に保持させれば、連結管２６を引きずって進退する進退スタンド３１の動きが阻害されることがない。
【００３６】
（温度調整方法）
図２は、図１に示す温度調整装置における温度調整方法を説明する側面視の一部断面図であって、進退スタンドが前進した状態を示している。以下、図１（進退スタンドが後退した状態を示している）および図２に基づいて温度調整装置１を利用する概略手順を説明する。
（Ｓ１）利用者は、飲料が封入された容器Ｖ（商品に同じ）を、チャンバ５０の商品出し入れ口５２に設置された商品出し入れ扉５３を開いて、商品出し入れ口５２を経由して回転テーブル１１に載置する。
（Ｓ２）利用者は、温度調整装置１に対して温度調整指令を入力する（たとえば、スタートボタンを押す）。
（Ｓ３）そうすると、容器Ｖが回転テーブル１１に載置されていること、チャンバ５０の商品出し入れ口５２が閉鎖していること等を確認の上、回転テーブル１１は回転を始める。
（Ｓ４）そして、該回転と同時にまたは該回転に前後して、巻き取りモータ４６が回転し、巻き取りドラム４５に巻き取りワイヤ４４が巻き取られ、進退スタンドは牽引ワイヤ４１によって前進方向に牽引される。
（Ｓ５）そして、前進当接板３２が容器Ｖに当接したところで、巻き取りモータ４６は回転を停止する。
（Ｓ６）そこで、流体噴射口２２から容器Ｖに向かって、所定の時間にわたって流体が噴射される。
（Ｓ７）そして、流体の噴射が終了したところで、回転テーブル１１は回転を停止し、且つ、容器Ｖを開放（把持の停止に同じ）する。
（Ｓ８）最後に、回転テーブル１１の停止が確認されたところで、チャンバ５０の商品出し入れ口５２の商品取り出し扉５３を開き、利用者は温度調整された容器Ｖ（飲料が封入された商品に同じ）を取り出すことになる。
【００３７】
以上より、本発明の温度調整装置１を利用することにより、利用者は適宜、温度調整された飲料（飲料が封入された容器または商品に同じ）を得ることができることになる。このとき、流体噴射口２２と容器Ｖとの距離は、前進当接板３２によって正確に決定されるため、容器Ｖの外径が様々に変化する場合であっても、噴射された流体は一定の条件で容器Ｖの外面に衝突し、一定の熱交換が実行されるから、迅速且つ正確な温度調整が可能になる。
【００３８】
なお、前記手順は概略であって、温度調整指令に際して、加熱または冷却の選択や、長時間噴射または短時間噴射の選択等のオプションを追加してもよい。また、流体の噴射終了後に、容器Ｖに付着した流体を吹き飛ばすために、さらに所定の時間だけ回転を継続したり、圧縮空気等の吹き付けをしてもよい。
また、前進当接板３２が容器Ｖに当接したことを検出する検出手段は限定するものではなく、たとえば、巻き取りモータ４６の電流値の変化、巻き取りワイヤに作用する引っ張り力、前進当接板３２に作用する圧縮力を検出したり、前進当接板３２の先端に当接センサ（いわゆるタッチセンサ）を設置したりしてもよい。
さらに、回転テーブル１１はチャンバ５０内にあらかじめ設置されたものに限定するものではなく、チャンバ５０に回転テーブル１１が通過自在な開口部を設け、回転テーブル１１またはチャンバ５０の何れか一方に昇降手段を設置して、回転テーブル１１に容器Ｖが載置された後、回転テーブル１１を上昇またはチャンバ５０を下降して、回転テーブル１１がチャンバ５０内に取り込まれるようにしてもよい。
【００３９】
［実施形態２］
（温度調整装置その２）
図３は本発明の温度調整装置に係る実施形態２の構成を模式的に示すものであって、（ａ）は側面視の一部断面図、（ｂ）は部分拡大図である。図３おいて、温度調整装置２は、温度調整装置１（図１参照）の噴射管進退手段３０の進退スタンド３１に屈折機能、すなわち、進退スタンド３１の一部を傾動自在にしたものである。そして、かかる噴射管進退手段を、噴射管進退手段６０と称呼する。
【００４０】
（噴射管進退手段）
噴射管進退手段６０は、進退スタンド６１（回転中心Ｃに対して略放射方向に設置された進退スタンドガイド６３に進退自在に案内されている）と、進退スタンド６１が前進した際に、容器Ｖに当接する前進当接板６２と、進退スタンド６１を後退方向に付勢する後退用バネ６４と、牽引ワイヤ８１が係止する傾動用プーリ６６と、傾動スタンド７１が傾動自在に支持される傾動スタンド支持部７３とを有している。
また、進退スタンドガイド６３には、牽引ワイヤ８１の牽引方向を水平方向から鉛直方向に変更するための牽引用プーリ６５が設置され、流体噴射手段２０の連結管２６が貫通する長孔６７が設けられている。なお、プーリ６５またはプーリ６６に代えて、略円弧状の案内溝を設けてもよい。
一方、傾動スタンド支持部７３に支持された傾動スタンド７１には、傾動スタンド７１が回転中心Ｃに向かって傾動（以下「倒伏」と称す）した際に、容器Ｖに当接する倒伏当接板７２と、倒伏した傾動スタンド７１を回転中心Ｃに略平行に戻す（以下「起立」と称す）ための起立用バネ７４と、牽引ワイヤ８１を固定するワイヤ固定部７５と、起立位置において、傾動スタンド７１が回転中心Ｃから離れる方向に傾動することを停止する図示しないストッパが設置されている。なお、ワイヤ固定部７５は、傾動スタンド支持部７３の中心（以下「傾動中心」と称す）よりも回転中心Ｃに近い位置に設けられている。
【００４１】
（スタンド駆動機構）
進退スタンド６１および傾動スタンド７１は、スタンド駆動機構８０によって駆動されている。すなわち、スタンド駆動機構８０は、一端が傾動スタンド７１のワイヤ固定部７５に固定され、進退スタンド６１に設置された傾動用プーリ６６および進退スタンドガイド６３に設置された牽引用プーリ６５に係止して駆動される牽引ワイヤ８１を有している。なお、スタンド駆動機構８０において「駆動する」としたのは、温度調整装置１（図１参照）のスタンド牽引機構４０との混乱を避けるためであって、実質「牽引する」に同じ内容である。
そして、牽引ワイヤ８１の他端は、緩衝バネ８２を介して駆動ロッド８８に設置されている。駆動ロッド８８はシール手段８７によって液密的にチャンバ５０を貫通し、その下端は共通の牽引テーブル８３に固定されている。そして、牽引テーブル８３には巻き取りワイヤ８４が固定され、巻き取りワイヤ８４は巻き取りモータ８６に設置された巻き取りドラム８５によって巻き取られるから、スタンド牽引機構４０に準じた構成である。
【００４２】
（流体噴射手段）
流体噴射手段９０は、流体を温度調整して貯留する貯留タンク９３と、温度調整済み流体を流体分配部９５に供給するための供給管９４と、供給された流体を各流体噴射管９１に分配するための流体分配部９５と、流体分配部９５と流体噴射管９１とを連結する可撓性を具備する連結管９６と、噴射されたチャンバ５０内の流体を貯留タンク９３に戻す戻り管９７とを有している。
そして、流体噴射管９１は可撓自在または一部におけて屈折自在であって、進退スタンド６１および傾動スタンド７１に支持され、噴射口９２（ノズル孔または穿孔等）が所定間隔で設けられている。なお、進退スタンド６１に支持された範囲の流体噴射管９１（以下「進退噴射管９１ｓ」と称す）からは、回転中心Ｃに向かって少し斜め上方向に流体が噴出するような噴射口（以下「進退噴射口９２ｓ」と称す）が設けられている。また、傾動スタンド７１に支持された範囲の流体噴射管９１（以下「傾動噴射管９１ｋ」と称す）からは、傾動スタンド７１が起立した際、回転中心Ｃに向かって略垂直方向に流体が噴出するような噴射口（以下「傾動噴射口９２ｋ」と称す）が設けられている。
なお、以上は、同一の流体噴射管９１においてそれぞれ所定範囲を、進退噴射管９１ｓあるいは傾動噴射管９１ｋと称呼しているが、進退噴射管９１ｓおよび傾動噴射管９１ｋをそれぞ別個に形成し、それぞれを別個の連結管でもって流体分配部９５に連結してもよい。
【００４３】
（傾動スタンドの傾動要領）
図４〜図６は、図３に示す温度調整装置における傾動スタンドの動きを説明するものであって、図４および図５は進退スタンドが前進した状態を示す側面視の一部断面図、図６は図５における流体の噴射状況を模式的に示す側面図である。
以下、図３（進退スタンドが後退した状態を示している）、図４（進退スタンドが前進した状態を示している）、および図５（傾動スタンドが倒伏した状態を示している）に基づいて温度調整装置２における傾動スタンド７１の動きを説明する。
（ｉ）巻き取りモータ８６が回転して、巻き取りワイヤ８４および牽引テーブル８３を介して牽引ワイヤ８１が駆動（牽引されるに同じ）される。
（ｉｉ）すると、傾動スタンド７１のワイヤ固定部７５には下向きの力が作用するから、傾動スタンド７１は傾動スタンド支持部７３を中心にして回転中心Ｃ側（容器Ｖ側に同じ）に傾動しようとする。
（ｉｉｉ）このとき、傾動スタンド７１を起立させる起立用バネ７４のバネ係数（付勢力に同じ）の方が、進退スタンド６１を後退方向に付勢する後退用バネ６４のバネ係数（付勢力に同じ）よりも大きいため、傾動スタンド７１が倒伏する前に、後退用バネ６４が伸ばされて、進退スタンド６１が前進を始める。
（ｉｖ）そして、前進当接板６２が容器Ｖに当接したところで、進退スタンド６１は前進を停止し、後退用バネ６４はそれ以上伸ばされなくなる。
（ｖ）そこで、今度は、起立用バネ７４が変形して（コイル状バネの場合は伸ばされ、板状バネの場合は曲げられるに同じ）、傾動スタンド７１は倒伏を始める。
（ｖｉ）そして、倒伏当接板７２が容器Ｖに当接したところで、傾動スタンド７１は倒伏を停止し、巻き取りモータ８６は回転を停止する。
（ｖｉｉ）そして、図示しない制御手段の指令によって、進退噴射管９１ｓおよび傾動噴射管９１ｋから流体が容器Ｖに向かって噴出され、温度調整が実行される。
（ｖｉｉｉ）さらに、流体の噴出が終了した後は、巻き取りモータ８６は逆転して、牽引ワイヤ８１の牽引を緩めるから、これに伴って、傾動スタンド７１は起立し、さらに、進退スタンド６１が後退する。
【００４４】
（温度調整方法）
したがって、利用者は、温度調整装置１における前記（Ｓ１）〜（Ｓ８）に準じた概略手順によって、適宜、温度調整された飲料（飲料が封入された容器または商品に同じ）を得ることができることになる。
このとき、進退スタンド６１に支持された進退噴射管９１ｓは、容器Ｖの表面から一定距離に近接し、しかも、該表面に向かって少し斜め上方向（図６において「θ」にて示す）に流体を噴出し、一方、傾動スタンド７１に支持された傾動噴射管９１ｋは、容器Ｖの肩部分（上部の傾斜範囲）から略一定の位置に近接し、しかも、該肩部分の表面の法線により近い方向に流体を噴出する。
すなわち、流体は容器Ｖの表面に対して好適は距離および方向から噴射され、且つ、周囲に広がり、しかも、容器Ｖは回転しているため、高い熱交換効率でもって飲物は温度調整されるから、迅速且つ確実な温度調整が図られる。
【００４５】
［実施形態３］
（温度調整装置その３）
図７および図８は本発明の温度調整装置に係る実施形態３の構成を模式的に示す側面視の一部断面図である。図７および図８おいて、温度調整装置３は、温度調整装置２（図３参照）における容器回転手段１０の回転モータ１３を昇降自在な昇降プレート１５に設置したものである。
また、密閉プレート１６が昇降プレート１５に平行に設置され、容器回転手段１０の回転軸１２が、密閉プレート１６の回転軸孔１７をシール手段１４を介して液密的に貫通している。
一方、チャンバ５０には商品（容器に同じ）を出し入れするために商品出し入れ口がなく、回転テーブル１１が出入り自在な回転テーブル孔５４が設けられ。回転テーブル孔５４の周囲に密閉プレート１６が液密的に当接するシール手段５５が設置されている。
【００４６】
したがって、回転テーブル１１に容器Ｖが載置された状態で、昇降プレート１５が昇降手段９によって上昇すると（図７に示す状態に同じ）、容器Ｖおよび回転テーブル１１は回転テーブル孔５４を経由してチャンバ５０内に侵入し、やがて、密閉プレート１６がシール手段５５に当接することになる。
すなわち、商品は、回転テーブル１１を下降した状態（図８に示す状態に同じ）で、チャンバ５０の外で回転テーブル１１に載置されることになる。このとき、回転テーブル１１の周囲に進退スタンド６１の前進当接板６２や進退スタンドガイド６３等、該載置の際に商品または利用者の手が触れるおそれのある物がないから、載置が容易になる。また、商品の載置を考慮することなく、進退スタンド６１の移動距離を短くすることができるから、進退スタンドガイド６３の短尺化やチャンバ５０の小径化が可能になる。
【００４７】
なお、シール手段５５は密閉プレート１６の側面において摺動するものに限定するものではなく、チャンバ５０の外面または密閉プレート１６の上面に設置して、上下方向に挟圧されるようにしてもよい。また、昇降手段９は、たとえば、リンク機構、電動シリンダ、エアーシリンダ、ワイヤやチェーンによる懸吊機構等いずれであってもよい。
さらに、昇降プレート１５を昇降するものに限定するものではなく、昇降プレート１５を固定して、チャンバ５０を昇降自在にしてもよい。このとき、流体噴射手段９０の供給管９４および戻り管９７を可撓性を具備するものにする。
【００４８】
［実施形態４］
（温度調整装置その４）
図９は本発明の温度調整装置に係る実施形態４の構成を模式的に示す側面視の一部断面図である。図９おいて、温度調整装置４は、温度調整装置２（図３参照）における容器回転手段１０をチャンバ５０内に収納し、スタンド駆動機構８０および貯留タンク９３をチャンバの天井外面に設置したものである。
【００４９】
容器回転手段１０を構成する回転モータ１３は、チャンバ５０の内部に設けられたモータ室５６内に設置され、その回転軸１２ｍにはベルトプーリ１８が固定されている。
また、回転テーブル１１の回転軸１２ｔは、チャンバ５０に設置された軸受け１４ｔによって回転自在、且つ、液密的に支持されている。そして、回転テーブル１１の外周にベルトプーリが一体的に形成され、回転テーブル１１とベルトプーリ１８とがベルト１９によって連係されている。したがって、回転モータ１３の回転によって回転テーブル１１は回転することになる。このとき、モータ室５６と進退スタンドガイド６３とは位相が相違している（回転中心Ｃに対して回転方向で分散配置されているに同じ）から、相互に干渉することがない。
なお、ベルトプーリ１８に代えて、歯車を設置し、一方、回転テーブル１１または回転軸１２に歯車を設置して、両者を直接または中間歯車を介して噛み合わせてもよい。
【００５０】
スタンド駆動機構８０の牽引ワイヤ８１は、牽引用プーリ６５に係止して上方向に方向転換し、チャンバ５０の天井を貫通し、該天井外面に設置された天井プーリ５７によって略水平方向に方向転換して、牽引テーブル８３に設置され、さらに巻き取りワイヤ８４が巻き取りドラム８５に巻き取られている。また、進退スタンド６１が複数の場合、各進退スタンド６１の進退距離が同一になるように、それぞれの牽引ワイヤ８１毎に所定個数の天井プーリ５７が設置されている。
また、巻き取りドラム８５および巻き取りモータ８６はチャンバ５０の天井外面に設置されているが、天井の上方に設置してもよい。さらに、流体噴射手段９０の貯留タンク９３および流体分配部９５もチャンバ５０の天井外面に設置されているが、貯留タンク９３を別途任意の位置に設置して、供給管９４によって流体分配部９５に連結してもよい。
したがって、温度調整装置４は、チャンバ５０の下方に部材を有しないから、たとえば、自動販売機の商品収納室内への設置が容易になる。
【００５１】
［実施形態５］
（自動販売機）
図１０〜図１２は本発明の自動販売機に係る実施形態５の構成を模式的に示すものであって、図１０は正面図、図１１は側面視の断面図、図１２は冷却ユニットの構成図である。
図１０および図１１において、自動販売機１００は、断熱材によって囲まれ一面に開口部が設けられた筐体１１１と、商品を搬出する商品搬出口１１３が設けられ前記開口部を開閉自在な断熱扉１１２とを具備する商品収納庫１１０と、商品収納庫１１０の内部の空気を所定の温度にするための熱交換手段１２０（ヒータまたは冷却ユニットの一方または両方）と、商品収納庫１１０内の空気を循環させるための送風ファン１３０とを有している。
また、断熱扉１１２に対峙して開閉自在な外扉１４０と、商品収納庫１１０から払い出された（販売された）商品Ｓを、利用者の嗜好に応じて適宜温度調整するための温度調整装置１０１とが設置されている。なお、商品Ｓは、缶、ビン、ペットボトル等の容器に入れた飲料等の商品であって、商品そのものまたは飲料等が封入された容器Ｖを指している。以下、温度調整装置１０１として実施形態４に示す温度調整装置４が採用された場合を例に説明する。
【００５２】
商品収納庫１１０の商品搬出口１１３に向かって傾斜したシュータ１１４が配置され、シュータ１１４が商品収納庫１１０の内部を上下に仕切っている。そして、シュータ１１４の上方に商品Ｓを集積するための商品ラック１１５が配置され、シュータ１１４の下方に熱交換室１２１が配置されている。
シュータ１１４には、送風ファン１３０から吹き出された空気（冷却または加熱された空気）を商品ラック１１５に向かって略上方に流し、商品収納庫１１０の内部を循環させるための通気穴（図示しない）が穿設されている。さらに、商品収納庫１１０の後面には、所定の断面積の循環ダクト１１６が設けられ、商品ラック１１５の位置から空気を吸い込んで、熱交換室１２１に空気を吹き出し、空気の循環を促進している。
【００５３】
なお、熱交換室１２１には、送風ファン１３０と、冷却ユニット１５０を形成する蒸発器１５５と、ヒータ（図示しない）とが収納されている。
したがって、冷却ユニット１５０を稼働して蒸発器１５５に冷熱を供給すると、蒸発器１５５において冷却された空気が通気穴を経由して商品ラック１１５に向けて吹き出し、そこに集積した商品Ｓを冷却する。そして、暖まった空気は循環ダクト１１６を経由して再度蒸発器１５５に戻ってくる。一方、ヒータを稼働した場合には、加熱された空気が通気穴を経由して商品ラック１１５に向けて吹き出し、そこに集積した商品Ｓを加熱する。そして、冷めた空気は循環ダクト１１６を経由して再度ヒータ１６０に戻ってくる。
なお、ヒータ（商品収納庫１１０を加熱する）または蒸発器１５５（商品収納庫１１０を冷却する）は、商品の種類や季節の変化に応じて商品収納庫毎に適宜使い分けられている。
【００５４】
外扉１４０の表面側には、収納している商品を示す商品見本Ｄを表示するディスプレイウインドウ１４１と、商品選択用の押ボタン１４２と、紙幣を挿入する紙幣挿通口１４３と、硬貨を投入する硬貨投入口１４４と、所定の情報（たとえば、投入された金額やおつりの金額等）を表示する一体表示器１４５と、商品取出口１４６と、温度調整装置１０１に商品Ｓを出し入れするための温度調整用開口部１４７と、温度調整装置１０１（温度調整装置４に同じ）の始動を指示するための温度調整開始ボタン１４８と、温度調整中（たとえば、点灯）および温度調整終了（たとえば、温度調整終了後から商品Ｓが取り出されるまでの間の点滅）を知らせる温度調整ランプ１４９が設けられている。また、温度調整用開口部１４７は、温度調整装置４の商品出し入れ口５２（商品取り出し扉５３が設置されてあいる）に連通している。
【００５５】
よって、利用者が紙幣または硬貨を投入し、商品選択用の押ボタン１４２を押せば、所望の商品Ｓが商品取出口１４６に払い出される（販売されるに同じ）。
そして、利用者が販売された商品Ｓを温度調整する場合、該商品Ｓを手にし、商品取り出し扉５３を開けて、温度調整用開口部１４７および商品出し入れ口５２を経由して、商品Ｓを回転テーブル１１に載置し、温度調整開始ボタン１４８を押せば、前述の概略手順に従って商品Ｓは温度調整され、さらに、温度調整ランプ１４９が、たとえば点滅して温度調整の終了を知らせたところで、利用者は温度調整された商品Ｓを取り出すことになる。
したがって、自動販売機１００から販売された（払い出された）商品Ｓの温度が所望の加熱温度より低い温度であったり、所望の冷却温度より高い温度であったり、あるいは常温であったりしても、利用者は適宜温度調整することができるから、自動販売機１００の加熱や冷却の程度を緩和することが可能になり、熱交換手段の加熱容量や冷却容量を小さくすること、および消費電力を低減することができる。すなわち、自動販売機１００の製造コストおよび運転コストが低減する。
【００５６】
なお、商品出し入れ扉５３は利用者が手動で開閉するものであっても、温度調整用開口部１４７に商品Ｓが挿入されたことを検出して自動で開閉するものであってもよい。
また、以上は温度調整装置１０１として温度調整装置４を採用した場合を例示しているが、温度調整装置１〜３のいずれを採用してもよい。また、温度調整装置１０１に加熱温度調整と冷却温度調整の選択機能を付与し（たとえば、加熱用および冷却用にそれぞれ別個の貯留タンクを設け、加熱調整または冷却調整を選択する選択指令に応じて加熱用流体または冷却用流体を切り換えて噴射する等）、温度調整開始ボタン１４８に並べて加熱／冷却選択ボタンを設けてもよい。
【００５７】
図１２において、冷却ユニット１５０は、冷媒を圧縮する圧縮器１５１と、圧縮器１５１によって圧縮された高圧冷媒を凝縮する凝縮器１５２と、高圧冷媒を各商品収納庫に振り分けるための電磁１５３ａ、１５３ｂ、１５３ｃと、振り分けられた高圧冷媒を減圧する膨張機構１５４ａ、１５４ｂ、１５４ｃ（電子膨張弁、キャピラリーチューブ等）と、減圧された低温低圧冷媒を蒸発させる蒸発器１５５ａ、１５５ｂ、１５５ｃと、蒸発（加熱に同じ）された低圧冷媒を集積するアキュムレータ１５６と、これら機器を連結する冷媒配管１５７とを具備するものであって、背景技術におけるものに同じである。なお、添え字「ａ、ｂ、ｃ」は商品収納室が３室の場合であって、それぞれを識別するためのものであるが、図中、共通する事項については添え字を省略している。
【００５８】
［実施形態６］
（商品収納装置）
図１３および図１４は本発明の商品収納装置に係る実施形態６の構成を模式的に示すものであって、図１３は正面図、図１４は側面視の断面図である。
図１３および図１４において、商品収納装置２００（いわゆる「ショーケース」に同じ）は、断熱材によって囲まれた商品収納庫２１０と、商品収納庫２１０の内部の空気を所定の温度にするための熱交換手段（ヒータまたは冷却ユニットの一方または両方、図示しない）と、商品収納庫２１０から払い出された（販売された）商品Ｓを、利用者の嗜好に応じて適宜温度調整するための温度調整装置２０１とを有している。
【００５９】
商品収納庫２１０には、一方の面に開閉自在な商品供給部２１１が形成され、これに対峙する面に開閉自在な商品取り出し部２１２を形成し、商品供給部２１１から商品取り出し部２１２に向かって僅かに下方向に傾斜する複数の商品収納棚を有する商品収納ラック（図示しない）が設置されている。
したがって、利用者が商品取り出し部２１２側から商品Ｓを取り出すと、順次、収納された商品Ｓは自重によって商品取り出し部２１２側に移動し、商品供給部２１１側の空いたスペースには、適時、新たな商品Ｓが商品供給部２１１側から供給されるものである。
また、商品供給部２１１および商品取り出し部２１２には、これらを気密的に開閉する商品供給部扉２１３および商品取り出し部扉２１４が設置され、商品取り出し部扉２１４は収納された商品Ｓを外部から視認可能なように透明になっている。
なお、商品Ｓは、缶、ビン、ペットボトル等の容器に入れた飲料等の商品であって、商品そのものまたは飲料等が封入された容器Ｖを指している。以下、温度調整装置２０１として実施形態３に示す温度調整装置３（図１４において、一部の部材の記載を省略している）が採用された場合を例に説明する。
【００６０】
商品収納庫２１０の天井近くには、冷却ユニット（図示しない）を構成する蒸発器（図示しない）と、該蒸発器によって冷却された空気の下降または循環を促進するための送風ファン（図示しない）が設置されている。したがって、商品Ｓは商品収納ラックに収納されている間に、所定の温度に冷却されることになる。なお、該冷却ユニットは実施形態５における冷却ユニット１５０（図１２参照）に同じであるから説明を省略する。
商品収納庫２１０の商品取り出し部２１２の脇に、温度調整装置２０１に商品Ｓを出し入れするための温度調整用開口部２２０、温度調整装置２０１（温度調整装置３に同じ）の始動を指示するための温度調整開始ボタン２２１と、温度調整中（たとえば、点灯）および温度調整終了（たとえば、温度調整終了後から商品Ｓが取り出されるまでの間の点滅）を知らせる温度調整ランプ２２２が設けられている。
【００６１】
よって、利用者が商品取り出し部扉２１４を開いて商品Ｓを取り出し、該商品Ｓを温度調整する場合、該商品Ｓを手にして、温度調整用開口部２２０を経由して、下降している回転テーブル１１に載置し、温度調整開始ボタン２２１を押せば、前述の概略手順に従って、回転テーブル１１が上昇してチャンバ５０内に侵入し、図示しない噴射管が前進かつ倒伏して流体を噴射するから、商品Ｓは温度調整される。そして、回転テーブル１１が下降し、温度調整ランプ２２２が、たとえば点滅して温度調整の終了を知らせたところで、利用者は温度調整された商品Ｓを取り出すことになる。
【００６２】
したがって、商品収納装置２００に収納されている商品Ｓの温度が所望の冷却温度より高い温度（弱冷却）であったり、あるいは常温であったりしても、利用者は適宜温度調整することができるから、自動販売機１００の冷却の程度を緩和することが可能になり、熱交換手段の冷却容量を小さくすること、および消費電力を低減することができる。すなわち、商品収納装置２００の製造コストおよび運転コストが低減する。
なお、温度調整装置２０１は温度調整装置３に限定するものではなく、温度調整装置１、２または４のいずれを採用してもよい。また、以上は、商品Ｓを冷却して収納する場合であるが、商品Ｓを加熱して収納する場合も同様の作用・効果が奏されるものである。
【産業上の利用可能性】
【００６３】
本発明は以上の構成であるから、スタンドアロン型の温度調整装置または各種装置に取り付けられる温度調整装置として、さらに、温度調整装置を取り付けた自動販売機ないし商品収納装置として広く利用することができる。
【図面の簡単な説明】
【００６４】
【図１】本発明の温度調整装置に係る実施形態１の構成を示す側面視の一部断面図。
【図２】図１に示す温度調整装置における温度調整方法を説明する一部断面図。
【図３】本発明の温度調整装置に係る実施形態２の構成を模式的に示す一部断面図。
【図４】図３に示す温度調整装置における傾動スタンドの動きを説明する断面図。
【図５】図３に示す温度調整装置における傾動スタンドの動きを説明する断面図。
【図６】図３に示す温度調整装置における流体の噴射状況を模式的に示す側面図。
【図７】本発明の温度調整装置に係る実施形態３の構成を模式的に示す一部断面図。
【図８】本発明の温度調整装置に係る実施形態３の構成を模式的に示す一部断面図。
【図９】本発明の温度調整装置に係る実施形態４の構成を模式的に示す一部断面図。
【図１０】本発明の自動販売機に係る実施形態５の構成を模式的に示す正面図。
【図１１】本発明の自動販売機に係る実施形態５の構成を模式的に示す側断面図。
【図１２】本発明の自動販売機に係る実施形態５の冷却ユニットの構成図。
【図１３】本発明の商品収納装置に係る実施形態６の構成を模式的に示す正面図。
【図１４】本発明の商品収納装置に係る実施形態６の構成を模式的に示す側断面図。
【符号の説明】
【００６５】
１ 温度調整装置
２ 温度調整装置
３ 温度調整装置
４ 温度調整装置
９ 昇降手段
１０ 容器回転手段
１１ 回転テーブル
１２   回転軸
１２ｍ 回転軸
１２ｔ 回転軸
１３ 回転モータ
１４ シール手段
１４ｔ 軸受け
１５ 昇降プレート
１６ 密閉プレート
１７ 回転軸孔
１８ ベルトプーリ
１９ ベルト
２０ 流体噴射手段
２１ 流体噴射管
２２ 流体噴射口
２３ 貯留タンク
２４ 供給管
２５ 流体分配部
２６ 連結管
２７ 管
３０ 噴射管進退手段
３１ 進退スタンド
３２ 前進当接板
３３ 進退スタンドガイド
３４ 後退用バネ
３５ 牽引用プーリ
４０ スタンド牽引機構
４１ 牽引ワイヤ
４２ 牽引バネ
４３ 牽引テーブル
４４ 巻き取りワイヤ
４５ 巻き取りドラム
４６ 巻き取りモータ
４７ シール手段
５０ チャンバ
５１ 回転軸孔
５２ 商品出し入れ口
５３ 商品出し入れ扉
５４ 回転テーブル孔
５５ シール手段
５６ モータ室
５７ 天井プーリ
６０ 噴射管進退手段
６１ 進退スタンド
６２ 前進当接板
６３ 進退スタンドガイド
６４ 後退用バネ
６５ 牽引用プーリ
６６ 傾動用プーリ
６７ 長孔
７１ 傾動スタンド
７２ 倒伏当接板
７３ 傾動スタンド支持部
７４ 起立用バネ
７５ ワイヤ固定部
８０ スタンド駆動機構
８１ 牽引ワイヤ
８２ 緩衝バネ
８３ 牽引テーブル
８４ 巻き取りワイヤ
８５ 巻き取りドラム
８６ 巻き取りモータ
８７ シール手段
８８ 駆動ロッド
９０ 流体噴射手段
９１   流体噴射管
９１ｋ 傾動噴射管
９１ｓ 進退噴射管
９２   流体噴射口
９２ｋ 傾動噴射口
９２ｓ 進退噴射口
９３ 貯留タンク
９４ 供給管
９５ 流体分配部
９６ 連結管
９７ 戻り管
１００ 自動販売機
１０１ 温度調整装置
１１０ 商品収納庫
１４０ 外扉
１４１ ディスプレイウインドウ
１４６ 商品取出口
１４７ 温度調整用開口部
１４８ 温度調整開始ボタン
１４９ 温度調整ランプ
１５０ 冷却ユニット
２００ 商品収納装置
２０１ 温度調整装置
２１０ 商品収納庫
２１１ 商品供給部
２１２ 商品取り出し部
２２０ 温度調整用開口部
２２１ 温度調整開始ボタン
２２２ 温度調整ランプ
Ｃ 回転中心
Ｄ 商品見本
Ｓ 商品
Ｖ 容器
【図１】
2006004358.tif 000003
【図２】
2006004358.tif 000004
【図３】
2006004358.tif 000005
【図４】
2006004358.tif 000006
【図５】
2006004358.tif 000007
【図６】
2006004358.tif 000008
【図７】
2006004358.tif 000009
【図８】
2006004358.tif 000010
【図９】
2006004358.tif 000011
【図１０】
2006004358.tif 000012
【図１１】
2006004358.tif 000013
【図１２】
2006004358.tif 000014
【図１３】
2006004358.tif 000015
【図１４】
2006004358.tif 000016